(57)【要約】【課題】関節部分の自由な動きを確保できながらも、足首部分から脛や脹脛部分の保温や保護をも可能にしたレッグウォーマを提供できるようにする。【解決手段】伸縮性を有する生地若しくは編地を筒状に形成して筒状本体部分が形成されたレッグウォーマであって、当該レッグウォーマの足首側部分に環状の膨張規制部を複数本形成するとともに、その上方部の筒状部分に筒状の長さ方向に略等間隔に設けられた縮み規制部とを備えた。【選択図】    図１
2004176222.tif 000002
【特許請求の範囲】
【請求項１】
伸縮性を有する生地若しくは編地を筒状に形成して筒状本体部分が形成されたレッグウォーマであって、当該レッグウォーマの足首側部分に環状の膨張規制部を複数本形成するとともに、その上方部の筒状部分に筒状の長さ方向に略等間隔に設けられた縮み規制部とを備えてなるレッグウォーマ。
【請求項２】
膨張規制部及び縮み規制部が、生地若しくは編地の伸び率の低い糸を用いたミシン目で形成されていることを特徴とする請求項１に記載のレッグウォーマ。
【請求項３】
筒状本体部分が起毛布で形成されたことを特徴とする請求項１に記載のレッグウォーマ。
【発明の詳細な説明】
【０００１】
【発明の属する技術分野】
本発明はジャズダンスやスポーツをするとき、あるいは女子学生等が通学等に着用するレッグウォーマに関するものである。
【０００２】
【従来の技術】
従来のレッグウォーマは、筒状に形成された本体の上端近傍部分に弾性糸を挿入したずれ止め収縮部を形成するようにしたものが知られている（例えば特許文献１参照）。
【０００３】
【特許文献１】
登録実用新案公報第３０８８４７８号公報（第２頁、第１図）
【０００４】
【発明が解決しようとする課題】
上記従来のレッグウォーマではレッグウォーマ全体が着用時には、公報の図３にも示されているように所謂「ルーズソックス」風に足首部分までずらして使用する。
こうしたものでは、足首部分は保温乃至は保護されるものの、脛や脹脛部分は保温や保護されないという問題あった。
【０００５】
また、脛や脹脛部分は保温や保護するものとしては筒状に形成されたサポータがあるが、こうしたものを足首部分に装着した場合、関節部分が拘束されてしまうという問題がある。
本発明は上記問題に鑑み提案されたもので、関節部分の自由な動きを確保できながらも、足首部分から脛や脹脛部分の保温や保護をも可能にしたレッグウォーマを提供できるようにすることを目的とするものである。
【０００６】
【課題を解決するための手段】
上記目的を達成するために本発明にかかるレッグウォーマは、先ず、伸縮性を有する生地若しくは編地を筒状に形成して筒状本体部分が形成されたレッグウォーマであって、当該レッグウォーマの足首側部分に環状の膨張規制部を複数本形成するとともに、その上方部の筒状部分に筒状の長さ方向に略等間隔に設けられた縮み規制部とを備えたことを特徴とするものである。
【０００７】
次に、膨張規制部及び縮み規制部が、生地若しくは編地の伸び率の低い糸を用いたミシン目で形成されていることや、筒状本体部分が起毛布や起毛編地で形成されたことも特徴とするものである。
【０００８】
【発明の実施の形態】
以下に本発明にかかるレッグウォーマの好ましい実施の形態を図面に基づいて詳細に説明する。
図１は本発明のレッグウォーマとこれを装着する足の斜視図であって、図中符号１はレッグウォーマを、符号２は足をそれぞれ示す。
このレッグウォーマ１は、筒状に形成された起毛した織布で筒状本体部分３が形成されており、足２の足首部分４を覆う筒状部分５には環状の膨張規制部６が複数本形成され、その上方で足２の脛７や脹脛８を覆う筒状部分９には略等間隔に設けられた縮み規制部１０が形成されている。
【０００９】
上記レッグウォーマ１の製造手順を次に説明すると、先ず図２に示すように起毛した織布素材１１に、足２の足首部分４を覆う筒状部分５となる素材部分１１ａには織布素材１１の幅方向Ｗの半部（図上右半部）に複数のミシン目６ａを長さ方向Ｌに等間隔で平行に形成するとともに、足２の脛７や脹脛８を覆う筒状部分９となる素材部分１１ｂには織布素材１１の幅方向Ｗの半部（図上左半部）に複数のミシン目１０ａを等間隔で且つ幅方向Ｗと平行に形成する。
このミシン目６ａ・１０ａを形成する糸は織布素材１１の伸び率の低い糸を用いることによりミシン目６ａ・１０ａ部分が沈んだ状態となり、図４に示すようにこのミシン目６ａ・１０ａ部分で屈曲しやすくなる。
【００１０】
尚、本発明はこうした織布素材１１の伸び率の低い糸でミシン目６ａを形成するものに限られず、例えばゴム糸等の弾性を有するものを使用することも素より可能である。
また、織布素材１１がアクリル繊維やポリエステル繊維等の合成繊維で形成されている場合、高周波により連続線状又は点線状に溶融・軟化させて薄肉に形成することにより上記ミシン目６ａに代えて膨張規制部６及び縮み規制部１０を形成することができる。
【００１１】
次に、上記のように加工された織布素材１１は、図２に示すように平均的な足２の周囲長（１２部分）に切断し、両端部同士を縫着若しくは織布素材１１がアクリル繊維やポリエステル繊維等の合成繊維で形成されている場合には溶着したりして図３に示すように筒状に形成すると、本発明のレッグウォーマ１が完成する。
【００１２】
上記のようにして形成されたレッグウォーマ１は縮み規制部１０を上にして爪先部分から膨張規制部６が足首部分４を覆うように足２に装着する。
足２に装着されたレッグウォーマ１は、足首部分４を覆う部分がミシン目による膨張規制部６で、当該部分が外方に広がるのを防止され、その間の筒状部分が外に広がる結果、ルーズソックス風にダブった状態になり、足首部分４を保温しながらも、関節の動きにはこのダブった部分が伸縮して追従する。
一方、その上部の脛７及び脹脛８部分を覆う筒状部分５に形成された縮み規制部１０が当該部分の下方へのずれを防止するので、脛７及び脹脛８部分を確りと多い、保温ならびに保護することになる。
【００１３】
尚、上記実施の形態では織布素材１１を起毛した織布で形成するようにしてあるがこれに限られず、パイル地で形成したり、ニット地で形成することもできるのは言う今でもないことである。
【００１４】
【発明の効果】
本発明のレッグウォーマは、以上に説明したように伸縮性を有する生地若しくは編地を筒状に形成して筒状本体部分が形成されたレッグウォーマであって、当該レッグウォーマの足首側部分に環状の膨張規制部を複数本形成するとともに、その上方部の筒状部分に筒状の長さ方向に略等間隔に設けられた縮み規制部とを備えて構成するようにしてあるので、屈曲する足首部分に位置する部分は環状の膨張規制部によりルーズソックス風になり、保温性をしっかりと保持しながら、関節部分の自由な動きを確保することができる。これに加えてその上方部の筒状部分が縮み規制部により脛や脹脛にフィットした状態になり、関節部分の自由な動きを確保できながらも、足首部分から脛や脹脛部分の保温や保護を可能にすることができる利点がある。
【図面の簡単な説明】
【図１】は本発明にかかるレッグウォーマとこれを装着する足の斜視図である。
【図２】は本発明にかかるレッグウォーマを形成する素材の展開図である。
【図３】は本発明にかかるレッグウォーマの製造時における最終過程の斜視図である。
【図４】は本発明にかかるレッグウォーマの一部分の拡大図である。
【符号の説明】
１・・・レッグウォーマ
３・・・筒状本体部分
４・・・足首部分
５・９・・・筒状部分
６・・・膨張規制部
１０・・・縮み規制部
【図１】
2004176222.tif 000003
【図２】
2004176222.tif 000004
【図３】
2004176222.tif 000005
【図４】
2004176222.tif 000006